(57)【要約】【課題】音溝に対してトーンアームのより忠実な移動を実現し、レコード盤を高音質に再生できるリニアトラッキング装置及びこれを用いたレコードプレーヤを提供する。【解決手段】トーンアーム１６が取り付けられるスライダ２８を備える。スライダ２８の下面２８ａの内側に設けられた凹条であって、底面３４ａがスライダ２８の下面２８ａに対して略平行に形成されている溝部３４を備える。スライダ２８の下方に設置されたレール３０を備える。レール３０上面３０ｂの特定位置に設けられ、上向きにエアＥを吹きだす噴射口３６ｂを備える。スライダ２８は、その下面２８ａがレール３０の上面３０ｂに略平行に対向し、噴射口３６ｂから吹きだすエアＥの圧力を受けてレール３０の上面から浮上し、レール３０に沿って非接触で移動可能である。スライダ２８が移動可能な範囲において、噴射口３６ｂが、スライダ２８の溝部３４の底面３４ａに対向する。【選択図】図６
2016031771.tif 000002
【特許請求の範囲】
【請求項１】
レコード盤再生用のトーンアームが取り付けられるスライダと、
前記スライダの下面の内側に設けられた凹条であって、その底面が前記スライダの前記下面に対して略平行に形成されている溝部と、
前記スライダの下方に設置されたレールと、
前記レール上面の特定位置に設けられ、上向きにエアを吹きだす噴射口とを備え、
前記スライダは、その下面が前記レールの上面に略平行に対向し、前記噴射口から吹きだすエアの圧力を受けて前記レールの上面から浮上し、前記レールに沿って非接触で移動可能であり、
前記スライダが移動可能な範囲において、前記レールの前記噴射口が、前記スライダの前記溝部の前記底面に対向することを特徴とするリニアトラッキング装置。
【請求項２】
前記スライダが前記レールの上方に浮上している状態で、
前記スライダの前記下面と前記レールの前記上面との離間距離が、前記スライダの前記溝部の深さよりも短く、
前記スライダの前記底面全体を押し上げる力が、前記スライダの前記下面全体を押し上げる力よりも大きい請求項１記載のリニアトラッキング装置。
【請求項３】
前記スライダの前記下面及び前記レールの前記上面は、前記スライダの移動方向に対して直角な断面が上向きの円弧状に形成され、
前記溝部が、前記スライダの前記下面の円弧状の頂部に沿って設けられている請求項１又は２記載のリニアトラッキング装置。
【請求項４】
前記スライダの前記下面及び前記レールの前記上面は、前記スライダの移動方向に対して直角な断面が逆Ｖ字状に形成され、
前記溝部が、前記スライダの前記下面の逆Ｖ字状の頂部に沿って設けられている請求項１又は２記載のリニアトラッキング装置。
【請求項５】
請求項１乃至４のいずれか記載のリニアトラッキング装置を備えることを特徴とするレコードプレーヤ。
【発明の詳細な説明】
【技術分野】
【０００１】
本発明は、レコード盤再生用のトーンアームを移動させるリニアトラッキング装置及びこれを用いたレコードプレーヤに関する。
【背景技術】
【０００２】
リニアトラッキング装置は、先端部にカートリッジが装着されたトーンアームをレコード盤の半径方向に平行移動させる装置であり、トーンアームを回動させる方式（いわゆるスイングアーム方式）に比べて、トラッキングエラーやインサイドフォースが発生しない等の利点がある。平行移動は、カートリッジの針先がレコード盤の音溝に導かれる力によってトーンアームが受動的に移動する形態が一般的で、例えば、空気浮上式のエアベアリングが使用される。エアベアリングを使用すると、平行移動時の摩擦抵抗を小さくすることができ、さらにターンテーブル等の振動がトーンアームに伝わりにくくなるという利点がある。
【０００３】
従来、特許文献１に開示されているように、トーンアームの基端部嵌合孔を断面円形の支持アーム（レール）の外周にスライド可能に嵌合させ、基端部嵌合孔の内周面に周方向に等間隔を存して複数の空気吹出口を配設し、吹出口からの圧搾空気（エア）により、基端部嵌合孔内周面と支持アーム外周面との間にエアベアリングが構成されるリニアトラッキング式レコードプレーヤがあった。トーンアームの基端部嵌合孔は、アーム本体に固定されている円筒体（スライダ）の内側に設けられ、円筒体の外周面に、基端部嵌合孔内に圧搾空気を供給するチューブ（エア供給ホース）が接続されている。
【０００４】
また、特許文献２に開示されているように、円筒外形の外側の上面に、複数の気体出口孔が所定のピッチで配設された案内路（レール）と、トーンアームの針から離れた部分が取り付けられたキャリッジ（スライダ）とを有し、キャリッジ下面が案内路上面に嵌合し、気体出口孔からの圧搾空気（エア）により、キャリッジ下面と案内路上面との間にエアベアリングが構成される直線トラッキング装置があった。キャリッジは、中央部の上面にトーンアームが取り付けられ、中央部の両側に半円弧状の部分スリーブが案内路の向きに延設され、部分スリーブを含むキャリッジ下面が案内路上面に嵌合する構造になっている。
【先行技術文献】
【特許文献】
【０００５】
【特許文献１】実開昭６０−６７５６３号公報
【特許文献２】特開昭５６−９４５５１号公報
【発明の概要】
【発明が解決しようとする課題】
【０００６】
しかし、特許文献１のリニアトラッキング式レコードプレーヤの場合、トーンアームと一体の円筒体にチューブが接続される構造なので、チューブの剛性による抵抗がありトーンアームの音溝に対する忠実な移動が妨げられ、音質が低下しやすいものである。また、支持アームをトーンアームの基端部嵌合孔に挿入する構造なので、装置の組み立てが面倒であり、トーンアームを取り外して交換する際にも手間が掛かる。
【０００７】
また、特許文献２の直線トラッキング装置の場合、キャリッジがトーンアームと共に移動すると、キャリッジ下面に対向する気体出口孔の位置及び数が場所ごとに変化するため、キャリッジ下面を押し上げる力の強さ及び分布が一定にならない。したがって、キャリッジ下面と案内路上面との平行性が維持されず、トーンアームにばたつきが発生して音質が低下しやすいものである。
【０００８】
本発明は、上記背景技術に鑑みて成されたものであり、音溝に対してトーンアームのより忠実な移動を実現し、レコード盤を高音質に再生できるリニアトラッキング装置及びこれを用いたレコードプレーヤを提供することを目的とする。
【課題を解決するための手段】
【０００９】
本発明は、レコード盤再生用のトーンアームが取り付けられるスライダと、前記スライダの下面の内側に設けられた凹条であって、その底面が前記スライダの前記下面に対して略平行に形成されている溝部と、前記スライダの下方に設置されたレールと、前記レール上面の特定位置に設けられ、上向きにエアを吹きだす噴射口とを備え、
前記スライダは、その下面が前記レールの上面に略平行に対向し、前記噴射口から吹きだすエアの圧力を受けて前記レールの上面から浮上し、前記レールに沿って非接触で移動可能であり、前記スライダが移動可能な範囲において、前記レールの前記噴射口が、前記スライダの前記溝部の前記底面に対向するリニアトラッキング装置である。
【００１０】
前記スライダが前記レールの上方に浮上している状態で、前記スライダの前記下面と前記レールの前記上面との離間距離が、前記スライダの前記溝部の深さよりも短く、前記スライダの前記底面全体を押し上げる力が、前記スライダの前記下面全体を押し上げる力よりも大きいことが好ましい。
【００１１】
前記スライダの前記下面及び前記レールの前記上面は、前記スライダの移動方向に対して直角な断面が上向きの円弧状に形成され、前記溝部が、前記スライダの前記下面の円弧状の頂部に沿って設けられている構成にしてもよい。あるいは、前記スライダの前記下面及び前記レールの前記上面は、前記スライダの移動方向に対して直角な断面が逆Ｖ字状に形成され、前記溝部が、前記スライダの前記下面の逆Ｖ字状の頂部に沿って設けられている構成にしてもよい。
【００１２】
さらに、本発明は、上記のいずれか記載のリニアトラッキング装置を備えるレコードプレーヤである。
【発明の効果】
【００１３】
本発明のリニアトラッキング装置及びこれを用いたレコードプレーヤは、トーンアームが取り付けられるスライダにエア供給ホースが接続されない構造であり、エア供給ホースからの無用な力を受けない構造である。しかも、独特のエアベアリング構造により、スライダが移動する際に、スライダを押し上げる力の強さ及びその分布がほとんど変化しない。したがって、トーンアームは、余計な外力の影響なく容易に移動することができ、レコード盤の音溝位置に忠実に倣うことができ、レコード盤を高音質に再生することができる。
【図面の簡単な説明】
【００１４】
【図１】本発明のリニアトラッキング装置及びこれを用いたレコードプレーヤの一実施形態の外観を示す平面図である。
【図２】この実施形態のリニアトラッキング装置及びレコードプレーヤの外観を示す右側面図である。
【図３】スライダの構造を示す平面図（ａ）、正面図（ｂ）、底面図（ｃ）、A1-A1断面図（ｄ）、右側面図（ｅ）、A2-A2断面図（ｆ）、A3-A3断面図（ｇ）である。
【図４】レールの構造を示す平面図（ａ）、正面図（ｂ）、右側面図（ｃ）である。
【図５】この実施形態のリニアトラッキング装置を示す平面図（ａ）、正面図（ｂ）である。
【図６】図５のB1-B1断面図（ａ）、B2部を拡大した図（ｂ）、B3-B3断面図（ｃ）である。
【発明を実施するための形態】
【００１５】
以下、本発明のリニアトラッキング装置及びこれを用いたレコードプレーヤの一実施形態について、図面に基づいて説明する。この実施形態のレコードプレーヤ１０は、図１に示すように、ターンテーブル１２、ターンテーブル駆動装置１４、トーンアーム１６及びリニアトラッキング装置１８を備え、これらが１つの基板２０上に設置されている。
【００１６】
ターンテーブル１２は、上面にレコード盤Ｒが載置され、側方に配置されたターンテーブル駆動装置１４に駆動されて回動し、中央の回転軸１２ａを軸にレコード盤Ｒを回転させる。ターンテーブル駆動装置１４は、ベルト１４ｂを介してターンテーブル１２に連結され、駆動モータ１４ａでターンテーブル１２を回動駆動する。
【００１７】
トーンアーム１６は、アーム本体２２を有し、その一端部からやや内側に入った部分がリニアトラッキング装置１８に取り付けられ、アーム本体２２の他端部には、レコード盤Ｒの音溝Ｒｍの振幅を針で検出して電気信号に変換するカートリッジ２４が装着されている。さらに、リニアトラッキング装置１８側の端部には、レコード盤Ｒに接触するカートリッジ２４の針圧を調節するための重錘２６が取り付けられている。
【００１８】
リニアトラッキング装置１８は、上面にトーンアーム１６が取り付けられたスライダ２８と、スライダ２８の下方に設置されたレール３０と、レール３０を支持するレール支持部材３２とで構成されている。
【００１９】
スライダ２８は、図３に示すように、所定の板厚を有する長方形の板材を幅方向に湾曲させたような外形で、長手方向と直交する方向の断面の下面２８ａが、上向きの円弧状に形成されている。長さはレコード盤Ｒの半径よりも少し長く、幅はその約1/5程度である。スライダ２８の中央部には、トーンアーム１６のアーム本体２２を上面２８ｂに固定するためのネジ孔２８ｃが設けられている。また、スライダ２８の下面２８ａの内側には、円弧状の頂部に沿って設けられた凹条である溝部３４が設けられている。溝部３４の底面３４ａは、下面２８ａに対して略平行に形成されている。溝部３４の長さは、レコード盤Ｒの半径よりも短く、レコード盤Ｒの音溝Ｒｍの最大半径と最小半径の差よりも長い。溝部３４の幅は、例えば下面２８ａの幅の1/5〜1/7程度が好適である。
【００２０】
レール３０は、図４に示すように、断面が略円形の棒状部材であり、長さは、スライダの長さの約2倍程度である。長さ方向の中央部には、下面３０ａから上面３０ｂまで通じる貫通穴３６が形成されている。貫通穴３６は、下面３０ａ側の開口である供給口３６ａにエアＥが供給され、上面３０ｂ側の開口である噴射口３６ｂから上向きにエアＥを吹きだす構造になっている。レール３０の上面３０ｂは、スライダ２８の下面２８ａに略平行に対向するよう、スライダ２８の下面２８ａの円弧の半径と等しい半径に形成されている。また、噴射口３６ｂの口径は、スライダ２８の溝部３４ａの幅よりも小さい。
【００２１】
レール支持部材３２は、図１、図２に示すように、下側端部がターンテーブル１２の筐体側面に固定され、上側端部でレール３０の両端部を把持し、レール３０をカートリッジ２４の移動方向と平行に配して支持する。
【００２２】
リニアトラッキング装置１８が組み立てられると、図５に示すように、レール支持部材３２の上端部にレール３０が固定され、レール３０の供給口３６ａにエア供給ホース３８が接続され、トーンアーム１６を取り付けたスライダ２８がレール３０の上方に配される。そして、図６に示すように、スライダ２８は、下面２８ａがレール３０の上面３０ａに略平行に対向し、噴射口３６ｂから吹きだすエアＥの圧力を受けてレール３０の上面から浮上し、レール３０に沿って非接触で移動可能になる。レール支持部材３２は、スライダ２８の移動範囲を規定するストッパの働きもする。
【００２３】
この状態で、トーンアーム１６は、アーム本体２２の重錘２６に近い部分がリニアトラッキング装置１８のエアベアリング機構により支持され、反対側の端部のカートリッジ２４の針がレコード盤Ｒの音溝Ｒｍに所定の針圧で接触するように、一定のモーメントが作用する。スライダ２８の移動可能範囲は、トーンアーム１６のカートリッジ２４がレコード盤Ｒの針溝Ｒｍの部分を横切ることができるように設定されている。また、スライダ２８が移動可能な範囲において、レール３０の噴射口３６ｂが、常にスライダ２８の溝部３４の底面３４ａに対向するように設定されている。
【００２４】
また、この状態において、スライダ２８の下面２８ａとレール３０の上面３０ｂとの離間距離がスライダ２８の溝部３４の深さよりも十分短く、かつ、溝部３４の底面３４ａ全体に作用する垂直方向の力が、スライダ２８の下面２８ａ全体に作用する垂直方向の力よりも十分大きくなるよう設定することが好ましい。この設定は、下面２８ａに対する底面３４ａの大きさ、溝部３４の深さ、噴射口３６ｂから吹きだすエアＥの圧力等のパラメータを変化させることによって調節できる。
【００２５】
このように設定すれば、溝部３４は、噴射口３６ｂから吹きだすエアＥを一時的に受け止める空気溜まりの働きをし、溝部３４内に連続供給されるエアＥが、噴射口３６ｂと底面３４ａとの相対位置に関係なく、底面３４ａ全体をほぼ均等かつ一定の力で押し上げる。また、底面３４ａ全体を押し上げる力（溝部３４内のエアＥの力）が下面２８ａ全体を押し上げる力（溝部３４から漏れ出たエアＥの力）より十分大きいので、スライダ２８を押し上げる力は前者が支配的になる。したがって、スライダ２８は、どの位置に移動しても常に均等かつ一定の力で押し上げられ、トーンアーム１６が傾いたりばたついたりしない。
【００２６】
以上説明したように、リニアトラッキング装置１８及びレコードプレーヤ１０は、トーンアーム１６が取り付けられるスライダ２８にエア供給ホース３８が接続されない構造である。しかも、独特のエアベアリング構造により、スライダ２８が移動する際に、スライダ２８を押し上げる力の強さ及びその分布がほとんど変化しない。したがって、トーンアーム１６には余計な外力が作用せず、レコード盤Ｒの音溝Ｒｍに忠実に倣って移動することができ、レコード盤Ｒを高音質に再生することができる。また、スライダ２８の下面２８ａ及びレール３０の上面３０ｂの断面が上向きの円弧状に形成されているので、スライダ２８が円弧状の周方向にも移動でき、カートリッジ２４の針をレコード盤Ｒの表面から上げ下げする操作も容易である。
【００２７】
なお、本発明のリニアトラッキング装置及びこれを用いたレコードプレーヤは、上記実施形態に限定されるものではない。例えば、スライダ及びレールの形状は、スライダの下面がレールの上面に略平行に対向し、噴射口から吹きだすエアＥの圧力を受けてレールの上面から浮上し、スライダがレールに沿って非接触で移動可能であればよく、自由に変更することができる。上記実施形態では、スライダの下面及びレールの上面を、スライダの移動方向に対して直角な断面が上向きの真円の円弧状になるように形成し、溝部を、スライダの下面の円弧状の頂部に沿って設けているが、例えば、スライダの下面及びレールの前記上面を、スライダの移動方向に対して直角な断面が楕円一部の弧状や逆Ｖ字状、コ字状、台形状等に形成し、溝部を、スライダの下面の頂部に沿って設けてもよい。どの構造も、スライダの着脱が容易で、装置の組み立てやトーンアームの交換を効率よく行うことができる。
【００２８】
また、上記実施形態では、レール支持部材がレールの両端部を支持する構造であるが、スライダの移動を妨げない範囲で他の構造に変更してもよい。例えば、レールの片端部だけ支持する構造や、レールの中央寄りの部分を支持する構造などでもよい。また、上記実施形態では、レールに設けたエア供給用の供給口の位置がレール下面の中央部になっているが、スライダの移動を妨げない範囲で他の位置に設けることも可能である。例えば、貫通穴をレールの長手方向に沿って形成し、エア供給用の供給口をレール下面の端部や、レールの端面などに設けてもよい。これにより、エア供給ホースの位置を装置端部に設けることができる。
【００２９】
また、リニアトラッキング装置以外のターンテーブル、ターンテーブル駆動装置等は、上記のリニアトラッキング装置の動作を妨げない範囲で他の構造に変更してもよい。
【符号の説明】
【００３０】
１０  レコードプレーヤ
１２  ターンテーブル
１４  ターンテーブル駆動装置
１６  トーンアーム
１８  リニアトラッキング装置
２８  スライダ
２８ａ  下面
３０  レール
３０ｂ  上面
３４  溝部
３４ａ  底面
３６  貫通穴
３６ａ  供給口
３６ｂ  噴射口
Ｅ  エア
Ｒ  レコード盤
Ｒｍ  音溝
【図１】
2016031771.tif 000003
【図２】
2016031771.tif 000004
【図３】
2016031771.tif 000005
【図４】
2016031771.tif 000006
【図５】
2016031771.tif 000007
【図６】
2016031771.tif 000008